(57)【要約】      （修正有）【課題】水の気化熱による冷涼感を使用者が直接的に安定して得ることができる噴霧装置付きの日傘を提供する。【解決手段】ハンドル部２、シャフト部１１及び親骨部４を有し、開閉可能な日傘に適する傘において、ハンドル部に設けられた貯水タンク２１及び手動又は電動ポンプと、シャフト部に沿って設けられた第１給水管３１と、親骨部の１又は２以上に沿って設けられた第２給水管３３及びその先端部に設けられたノズル３４とを有する噴霧装置付きの傘であって、前記ポンプを作動させることによって、貯水タンク内の水が第１給水管及び第２給水管を通り、第２給水管の先端部に設けられたノズルから霧状になって散布される噴霧装置付きの日傘として適切な傘であり、かつ、前記ノズルが、親骨部の先端に取り付けられた露先部材５の手前に位置していることを特徴とする。【選択図】図１
2020065906.tif 000002
【特許請求の範囲】
【請求項１】
ハンドル部、シャフト部及び親骨部を有し、開閉可能な日傘に適する傘において、
ハンドル部に設けられた貯水タンク及び手動又は電動ポンプと、
シャフト部に沿って設けられた第１給水管と、
親骨部の１又は２以上に沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な傘であり、かつ、
前記ノズルが、親骨部の先端に取り付けられた露先部材の手前に位置していることを特徴とする噴霧装置付きの日傘として適切な傘。
【請求項２】
前記露先部材は端部に傘布を止着する傘布止着部を有し、
傘を開いた際には、前記傘布の張力により前記露先部材が下方に曲折することを特徴とする請求項1に記載の日傘として適切な傘。
【請求項３】
前記露先部材が、枢止されることにより親骨部に取り付けられると共に、ストッパー部を有し、過度に曲折することを防ぐ構造になっていることを特徴とする請求項２に記載の日傘として適切な傘。
【請求項４】
前記露先部材が、弾性的な素材により形成され又はバネ材を有し、外力によって曲折可能であると共に、外力が無くなることによって原状に復帰することを特徴とする請求項２又は３に記載の日傘として適切な傘。
【請求項５】
第２給水管の先端部に設けられたノズルが、前記露先部材の５〜１５ｃｍ手前に位置しており、傘を開いた際に下方に曲折した傘布の内側に向け霧状水を噴出する構成であることを特徴とする請求項２〜４のいずれかに記載の噴霧装置付きの日傘として適切な日傘として適切な傘。
【発明の詳細な説明】
【技術分野】
【０００１】
本発明は噴霧装置付きの日傘として適切な傘に関し、詳しくは、ハンドル部に設けられた貯水タンクに蓄えられた水がシャフト部及び親骨部に沿って設けられた給水管を通り、給水管の先端部に設けられたノズルから霧状になって散布される噴霧装置付きの日傘として適切な傘、並びに傘を広げた際に傘布が下方に曲折する露先部材を有する日傘として適切な傘に関する。
【背景技術】
【０００２】
霧を噴出させる機能を有する傘として、特許文献１及び２に記載の技術が知られている。即ち、石づき部に設けた散水装置あるいは噴霧装置を作動させ、傘の生地表面や周辺の地面を湿潤状態にさせ、その気化熱を利用して清涼感をもたらし夏の酷暑を凌ぐことを目的とした傘である。この技術は、傘の生地の外側にある石づき部から水あるいは霧が噴出されるため、傘の中にいる使用者に直接的にはその恩恵がもたらされないという難点がある。
【０００３】
この点を解決する技術として、特許文献３に記載の技術が知られている。即ち、シャフト部に加湿器を取り付け、傘の内側の湿度を調整し、使用時の快適度を改善させる傘である。この技術は、加湿口の位置がシャフト部の近傍に固定されており、風向きや風の強さによっては、湿気を含んだ空気がたやすく風に煽られ別の方向へと飛んで行き、使用者がその恩恵にあずかりにくくなるという難点がある。
【０００４】
一方、傘を使用する際において、親骨の先端に取り付けられた露先が、通行人の顔とりわけ目に接触する危険性については、かねてより言及されてきた。
【０００５】
この点を解決する技術として、特許文献４及び５に記載の技術が知られている。即ち、特許文献４は、むき出しになっている親骨の先端又は露先に、拡散拡張させて横方向に受圧面を形成することによって、使用時に通行人の目の安全を確保するものであり、特許文献５は、特許文献４と同様に、親骨の先端を旋回又は屈曲させて横方向に受圧面を形成し、目の安全を確保する技術である。
【０００６】
これらの技術は、先端が突起状ではないという点においては通行人（対向者）の目の安全に寄与する部分があるものの、縦方向よりも横方向に長い人間の目の構造上、横方向に受圧面を形成しても、目の安全を図るには不十分であった。
【先行技術文献】
【特許文献】
【０００７】
【特許文献１】実開昭５６−３００１９号公報
【特許文献２】特許第３３５５３３０号公報
【特許文献３】特許第６０３３４３４号公報
【特許文献４】特許第４６２８３６８号公報
【特許文献５】特許第５８０４５７０号公報
【発明の概要】
【発明が解決しようとする課題】
【０００８】
本発明の目的は、風がないときはもとより、風があるときにも効果的に水の気化熱による冷涼感を使用者が直接的に安定して得ることができる噴霧装置付きの日傘として適切な傘であって、たとえ親骨が直線状であっても、傘を開いた際に、傘布の張力によって露先部材が下方に曲折すると共に、傘布も下方に曲折装設され、露先部材のみならず、傘布の円周部分全体が下方に曲折され、通行人の目の安全を確保することができる噴霧装置付きの日傘として適切な傘を提供することである。
【課題を解決するための手段】
【０００９】
上記課題を解決する本発明は、以下の構成を有する。
１．ハンドル部、シャフト部及び親骨部を有し、開閉可能な日傘に適する傘において、
ハンドル部に設けられた貯水タンク及び手動又は電動ポンプと、
シャフト部に沿って設けられた第１給水管と、
親骨部の１又は２以上に沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な傘であり、かつ、
前記ノズルが、親骨部の先端に取り付けられた露先部材の手前に位置していることを特徴とする噴霧装置付きの日傘として適切な傘。
２．前記露先部材は端部に傘布を止着する傘布止着部を有し、
傘を開いた際には、前記傘布の張力により前記露先部材が下方に曲折することを特徴とする上記1に記載の日傘として適切な傘。
３．前記露先部材が、枢止されることにより親骨部に取り付けられると共に、ストッパー部を有し、過度に曲折することを防ぐ構造になっていることを特徴とする上記２に記載の日傘として適切な傘。
４．前記露先部材が、弾性的な素材により形成され又はバネ材を有し、外力によって曲折可能であると共に、外力が無くなることによって原状に復帰することを特徴とする上記２又は３に記載の日傘として適切な傘。
５．第２給水管の先端部に設けられたノズルが、前記露先部材の５〜１５ｃｍ手前に位置しており、傘を開いた際に下方に曲折した傘布の内側に向け霧状水を噴出する構成であることを特徴とする上記２〜４のいずれかに記載の噴霧装置付きの日傘として適切な傘。
【発明の効果】
【００１０】
請求項１に示す発明によれば、ハンドル部にポンプが設けられていることにより、傘を差すその手で同時にポンプを作動させ、霧を噴出させることが可能となる。
【００１１】
また、請求項１に示す発明によれば、親骨部に沿って設けられた第２給水管の先端に配置したノズルから霧を噴出させることにより、風向きや風の強さにかかわらず傘の内側、即ち、傘を差す使用者に霧が当たるようにすることが可能となる。たとえば、右側方から風が吹いてくる際には、ノズルが右側方に位置するように傘を持てばよいし、後方から風が吹いてくる際には、ノズルが後方に位置するように傘を持てばよい。無風状態ならば、ノズルが進行方向に位置するように傘を持つことで、ノズルから噴出された霧の中に歩みを進める形となり、使用者の身体に霧が降りかかることとなる。
【００１２】
請求項２に示す発明によれば、傘を使用する際において、傘の円周部分全体が下方に曲折するため、親骨の先端又は露先部材が突出することなく、対向する通行人の目や顔に対する危険性を激減させることが可能となる。
【００１３】
請求項３に示す発明によれば、露先部材を適度な角度で安定して下方に曲折させることが可能となる。
【００１４】
請求項４に示す発明によれば、より安全性の高い露先部材を提供できると共に、傘の開閉操作も容易である傘の露先部材を提供できる。
【００１５】
請求項５に示す発明によれば、ノズルより噴射される霧は、円周部分が下方に曲折した傘布に沿うように進行方向を下方に曲げ、上下方向に幕状に広がることで、傘の外側に立ち込める暑い空気を遮断し、使用者の冷涼感を高めることが可能となる。
【００１６】
また、請求項５に示す発明によれば、噴射された霧が傘布に沿うように下方に曲がることで、通行人等の傘の外側にいる人に不用意に霧が吹きつけられる事態を防ぐことが可能となる。
【図面の簡単な説明】
【００１７】
【図１】本発明に係る露先部材を取り付けた噴霧装置付きの日傘として適切な傘の構造を示す概略断面図
【図２】（ａ）、（ｂ）及び（ｃ）は貯水タンクから第１給水管への給水状況の過程を示すポンプの構造を示す概略図
【図３】（ａ）及び（ｂ）は、貯水タンクへ給水するため、貯水タンクからシャフト部を外す状態を示す概略図
【図４】ノズルの構造を示す一部拡大概略図
【図５】後方から風が吹いている時の使用状態を示す説明図
【図６】（ａ）及び（ｂ）は、無風の中、前方に歩いている時の使用状態を示す説明図
【図７】本発明に係る露先部材を備えた傘の構造を示す概略図（一部拡大図）
【図８】図７の傘における傘布の一片の形状を示す概略図
【図９】（ａ）及び（ｂ）は、本発明に係る露先部材の一実施例を示す概略図であって、真っ直ぐな傘布止着部（ａ）が、下方に下がる状態（ｂ）を示す
【図１０】（ａ）及び（ｂ）は、本発明に係る露先部材の他の実施例を示す概略図であって、真っ直ぐな傘布止着部（ａ）が、下方に下がる状態（ｂ）を示す
【図１１】（ａ）及び（ｂ）は、本発明に係る露先部材の他の実施例を示す概略図であって、真っ直ぐな傘布止着部（ａ）が、下方に下がる状態（ｂ）を示す
【図１２】本発明に係る露先部材を備えた傘を開いた状態の参考平面図
【図１３】本発明に係る他の実施例における露先部材を備えた傘を開いた状態の参考平面図
【発明を実施するための形態】
【００１８】
次に、添付の図面に従って本発明を実施例に基づき詳細に説明する。
【００１９】
図１は、噴霧装置３を付けた傘の構造を示している。傘本体１のハンドル部２に貯水タンク２１を内蔵しており、貯水タンク２１に蓄えられた水は、シャフト部１１に沿った第１給水管３１から連結部３２を経由して親骨部４に沿った第２給水管３３に注ぎ込まれ、第２給水管３３の先端に設けられたノズル３４から霧Ｍとして散布される構造になっている。
【００２０】
貯水タンク内２１の水を第１給水管３１に吸い上げるポンプとしては、たとえば図２に示すような構造が挙げられる。図２（ａ）に示すように、ピストン２２のトリガー部２３がハンドル部２の上部に設けられており、図２（ｂ）に示すように、このトリガー部２３を押圧することでシリンダ２４内が加圧され、吐出し弁２５が開かれシリンダ２４内の水が第１給水管３１へと導かれる。図２（ｃ）に示すように、トリガー部の押圧を止めるとシリンダ２４内に負圧が生じ、吸込み弁２６が開かれ貯水タンク２１内の水がシリンダ２４へと導かれる。
【００２１】
貯水タンク２１の上方外周面には、外部から空気を吸入可能な空気弁２７を有する空気孔２８が設けてあり、貯水タンク２１内の気圧が下がると空気弁２７が開き空気孔２８から空気が入る構造になっている。なお、ポンプの構造はこれに限るものではなく、公知公用のいずれの構造を採用してもよい。
【００２２】
貯水タンク２１への給水方法に関しては、図３に図示するような構造が挙げられる。即ち、図３（ａ）に示すように螺合されたハンドル部２とシャフト部１１とを図３（ｂ）に示すように取り外し、給水孔２９から水を補給するという構造である。
【００２３】
なお、給水方法に関してはこの形態に限るものではなく、他にもたとえばカートリッジ式であり、貯水量が少なくなるとハンドル部２を開閉して貯水タンクを取り外し、十分な量の水を補給して再度装填するといった構造等、公知公用のいずれの構造を採用してもよい。
【００２４】
図３に示すように、ハンドル部２の大きさに対して貯水タンク２１が最大限の容積を取れるよう、貯水タンク２１がハンドル部２を兼用している形状であるのが好ましい。
【００２５】
第１給水管３１はシャフト部１１の内側に設けてもよく、シャフト部１１の外側に隣接して設けてもよい。同様に第２給水管３３は親骨部４の内側に設けてもよく、親骨部４の外側に沿って設けてもよい。
【００２６】
ノズル３４に関しては、たとえば図４に示すようにノズル３４の内壁面に螺旋状の溝３５を設け、ノズル３４内を通過する水を旋回させ、ノズル３４の噴出孔３６から噴出される霧Ｍの勢い及び範囲を増幅させる構造が挙げられるが、ノズルの構造はこれに限るものではなく、公知公用のいずれの構造を採用してもよい。
【００２７】
第２給水管３３及びノズル３４を、蛇腹ホースの如き可撓性のある接続部３７で接続してもよい。この場合、霧Ｍが噴射される方向の調整が容易になる。
【００２８】
シャフト部１１とハンドル部２は、回動する構造であるのが望ましい。そうすることで、トリガー部を使用しやすい位置に固定したままハンドル部２を回動させ、ノズル３４の位置を移動させることが可能となり、ひいては常時好ましい方向から霧Ｍを噴出させることが可能となる。
【００２９】
即ち、図５に示すように、後方から風が吹いている時は、シャフト部１１を回動させノズル３４を後方に位置させることで、ノズル３４から噴出された霧Ｍは後方からの風に煽られ使用者Ｕに降りかかり、使用者Ｕは霧の冷涼感を体感することが可能となる。
【００３０】
同様に、右側方からの風が吹いている時は、右側方にノズル３４が位置するようにシャフト部１１を回動させればよく、左側方から風が吹いている時は左側方にノズル３４が位置するようにシャフト部１１を回動させればよい。
【００３１】
これにより使用中の風向きの変化、あるいは歩行中の方向転換にも、シャフト部１１を即座に回動させるだけで対応でき、ノズル３４を常時風上の方向に位置させておくことで、使用者Ｕは冷涼感を体感し続けることが可能となる。
【００３２】
また、図６に示すように、無風状態の時は前方にノズル３４を位置させてもよい。ノズル３４から噴出された霧Ｍはその場に留まり続け、そこに使用者Ｕが歩みを進めることで、その身体に霧Ｍが降りかかり、使用者Ｕは冷涼感を体感することができる。
【００３３】
更にまた、図示は省略するが、傘を回して進行方向に向けてノズル位置を調整することが好ましいものの、必ずしもその必要はなく、ノズル位置の設定によっては、傘使用者に霧を直接かけることも可能である。
【００３４】
図７は、露先部材を備えた傘の構造を示している。傘本体１に複数本の親骨部４を備えており、各々の親骨部の先端には露先部材５が取り付けられ、傘を開いた際には該露先部材５が下方に曲折し、該露先部材５を覆うように傘布６が止着されている。
【００３５】
図８に示すように、傘布６の一片である布片６１は、二等辺三角形に近似した形状を有する三角形部位６２及び四辺形に近似した形状を有する四辺形部位６３とから構成され、両者は可動支点６４ａ及び可動支点６４ｂを結ぶ折れ線６５によって作用的に分けられている。
【００３６】
三角形部位６２は主に親骨部４に沿って張られる親骨辺６６、四辺形部位６３は主に露先部材５に沿って張られる露先辺６７及び傘を開いた際に傘布６の縁を形成することになる傘布縁辺６８とを有する。
【００３７】
ここで、三角形部位６２の頂角にあたる角度をθとし、角度θを中心角とし親骨辺６６及び露先辺６７を足し合わせた長さを半径Ｒとする扇形Ｓを想定すると、布片６１の傘布縁辺６８は、該扇形Ｓの円弧Ａあるいは弦Ｃより短く設計される。
【００３８】
即ち、一般的な傘布において、扇形に近似した形状を有する布片を円形に組み合わせることにより、傘を開いた際に円あるいは正多角形に近似した図形を形成するところ、扇形Ｓの円弧Ａあるいは弦Ｃに対し布片６１は傘布縁辺６８が短く設計されているため、布片６１を円形に並べたとしても、半径Ｒの円周に十分な長さが確保されないことになる。
【００３９】
従って、布片６１を張り合わせた傘本体１を開こうとしても、傘布縁辺６８の短さのゆえそのまま開ききることができず、可動支点６４ａ及び６４ｂが稼働し、折れ線６５を境に四辺形部位６３に傘布縁辺６８を内側に向かわせようとする力が働き、張り付けられた露先部材５ごと傘布６は下向きに曲折する。
【００４０】
なお、傘布縁辺６８は弦Ｃより短ければよく、折れ線６５との長さの比較は重要ではない。即ち、四辺形部位６３は、折れ線６５より傘布縁辺６８の方が長い台形でも良く、図８において図示するような、折れ線６５より傘布縁辺６８の方が短い逆台形でも良い。折れ線６５と傘布縁辺６８の長さが等しい長方形でも良い。
【００４１】
図９は露先部材５の一実施例を示している。露先部材５は親骨連結部５２によって親骨部４の先端と連結し、露先部材５の上面に傘布６が張られ、傘布止着部５１において傘布６は止着される。傘を閉じた状態では露先部材５は直線状に配置される。
【００４２】
傘を開くと、傘布止着部５１において止着された傘布６の力を受けて、可動支点５３の軸孔５４に挿通された軸５５を中心として露先部材５は回動し、ストッパー部５６が親骨連結部５２に当接するまで下方に曲折する。傘を閉じる際には、各露先部材５をそれぞれ手動で直線状の配置に戻す。
【００４３】
図１０は、露先部材５の他の実施例を示している。露先部材５は親骨連結部５２を親骨部４に差し込むことにより親骨部４と連結し、露先部材５の上面に傘布６が張られ、傘布止着部５１において傘布６を止着する。
【００４４】
露先部材５は、外力によってバネ鈑や可撓性樹脂材の如く弾性的に曲折可能であると共に、外力が無くなることによって原状に復帰する棒状材であって、例えばバネ鈑又は公知公用の可撓性樹脂（天然ゴム、合成ゴム類を含む。）製棒状材により成形されており、傘を開く際において露先部材５は傘布６の力を受けて、可動支点５３を支点にして容易に下方に曲折される［（ｂ）の状態］。傘を閉じると上記の傘を開く力が消失し、露先部材５は再び直線状の形状［（ａ）の状態］に戻る。
【００４５】
次に、図１１は露先部材５の他の実施例を示している。露先部材５は親骨連結部５２において軸孔５４を有し、この軸孔５４と、親骨部４の先端に設けられた軸孔４１とが軸５５によって枢止され、傘を閉じた状態では直線状に配置される。
【００４６】
親骨部４及び露先部材５の上面にはバネ材５７が設けられ、バネ材５７を覆うように傘布６が張られる。
【００４７】
傘を開くと、傘布６の力を受けて露先部材５は可動支点５３を支点として、露先部材５に突設されたストッパー部５６が親骨部４に当接するまで下方に曲折され、傘を閉じると、バネ材５７の復元力により露先部材５は再び直線状の配置に戻る。
【００４８】
バネ材５７はバネ鈑であることが好ましいが、シリコーン、ゴム等の弾力性のある素材で形成され、その形状は板バネ状であることも好ましく、他にも弦巻バネを親骨連結部５２と軸孔５４とを枢止する軸５５に取り付ける構成でもよく、素材及び形状はこれらに限るものではなく、公知公用のいずれのものを採用してもよい。
【００４９】
なお、弦巻バネを用いる場合、例えば弦巻部は軸５５に軸支され、一方の開放バネ部は親骨部４側に固定され、他方の開放バネ部は露先部材５側に固定され、弦巻バネの作用を営むようにすればよい。
【００５０】
図１、図５及び図６に示すように、露先部材５によって下方に曲折した傘布６の四辺形部位６３に向けて霧Ｍが噴射されるよう、ノズル３４の位置及び角度を調整する。そうすることで、噴射された霧Ｍが四辺形部位６３に沿うように進行方向が下方に曲がり、通行人等の傘の外側にいる人に不用意に霧が吹きつけられる事態が防がれると共に、四辺形部位６３の下方に幕状に広がることで、傘の外側に立ち込める熱気が遮断され、使用者の冷涼感が高まることになる。
【００５１】
ノズル３４は、露先部材５の手前に位置しており、例えば露先部材５から５〜１５ｃｍ程度手前に位置していることが好ましい。
【００５２】
噴射されると広がりつつ進んでゆく霧Ｍの性質を利用し、ノズル３４の向きを変えることで、上下方向に幕状に広がる際の霧Ｍの密度や広がりを制御することが可能となる。即ち、四辺形部位６３のノズル３４から近い部位に向けて霧Ｍを噴射すると、霧Ｍはあまり広がらず、厚い幕状となり、ノズル３４から遠い部位に向けて噴射すると、霧Ｍは広がり、薄い幕状となる。
【００５３】
図示は省略するが、第２給水管３３及びノズル３４は、複数設けてもよい。たとえば１８０度開いた２箇所の親骨部４沿いにノズル３４を２個、又は１２０度開いた３箇所の親骨部４沿いにノズル３４を３個配置することにより、風向きが安定しない日においてシャフト部１１を細かく回動させずに冷涼感を体感することが可能となるのに加え、無風状態の時に立ち止まっていてさえも、周囲がさながらバリアのように幕状の霧Ｍに覆われることにより、傘の外側に広がる熱気を遮断し、更なる冷涼感を体感することが可能となる。
【００５４】
また、隣接する２箇所の親骨部４の端部それぞれの近傍にノズル３４を配置してもよい。この場合、霧Ｍがより広範囲にわたって噴射されることにより、使用者Ｕが霧Ｍに触れる表面積もそれだけ増すことになる。
【００５５】
複数の第２給水管３３及びノズル３４を配設する際は、連結部３２もしくは各第２給水管３３及びノズル３４のいずれかの部位において、開閉を可能にさせる栓を設けるのが好ましい。栓を開閉させることにより、１箇所からのみ霧Ｍを噴出させたい時と複数箇所から霧Ｍを噴出させたい時の使い分けが可能となる。
【００５６】
本発明における露先部材を使用することで、通行人の目の安全を確保するという本発明の課題を解決できるものの、より良好な効果を得るため、本発明において、親骨部４の本数を６本又は５本の如くより少なくすることが好ましく、最小で４本まで減らしてもよい。このように親骨の本数が減ることにより、露先部材が通行人に危険を及ぼすリスクを更に減少させることが可能となる。
【００５７】
親骨部４の本数を４本まで減らした場合、図１２に示すように、傘を開いた際には、正方形は勿論、長方形に近似した図形が形成される構造にしても良い。こうすることで、傘としての役割を果たすのに十分な傘布の面積及び形状を取りつつ、強風の日には短い辺を風上に向けることで、下方に曲折した四辺形部位６３の面積を小さくし、傘にかかる風圧を少なくすることが可能となる。
【００５８】
また、親骨部４の本数を６本として、図１３に示すように、長方形に近似した六角形が形成される構造にしても良い。こうすることで、親骨部が４本の際には傘布６の張力が緩みがちなその長方形の長辺において、強い張力を確保することが可能となる。
【００５９】
本発明における傘本体の性質については、水の気化熱を利用して冷涼感を得る構造や夏の酷暑を和らげるその目的から、日傘であるのが好ましいが、日傘に限るものではなく、日傘としての適性を備えた雨傘であってもよい。
【符号の説明】
【００６０】
１        傘本体
１１      シャフト部
２        ハンドル部
２１      貯水タンク
２２      ピストン
２３      トリガー部
２４      シリンダ
２５      吐出し弁
２６      吸込み弁
２７      空気弁
２８      空気孔
２９      給水孔
３        噴霧装置
３１      第１給水管
３２      連結部
３３      第２給水管
３４      ノズル
３５      溝
３６      噴出孔
３７      接続部
４        親骨部
４１      軸孔
５        露先部材
５１      傘布止着部
５２      親骨連結部
５３      可動支点
５４      軸孔
５５      軸
５６      ストッパー部
５７      バネ材
６        傘布
６１      布片
６２      三角形部位
６３      四辺形部位
６４ａ    可動支点
６４ｂ    可動支点
６５      折れ線
６６      親骨辺
６７      露先辺
６８      傘布縁辺
Ｍ        霧
Ｕ        使用者
【図１】
2020065906.tif 000003
【図２】
2020065906.tif 000004
【図３】
2020065906.tif 000005
【図４】
2020065906.tif 000006
【図５】
2020065906.tif 000007
【図６】
2020065906.tif 000008
【図７】
2020065906.tif 000009
【図８】
2020065906.tif 000010
【図９】
2020065906.tif 000011
【図１０】
2020065906.tif 000012
【図１１】
2020065906.tif 000013
【図１２】
2020065906.tif 000014
【図１３】
2020065906.tif 000015